(57)【要約】【課題】本発明は、コネクターやハーネスの制作、絶縁作業などの際におけるテープ巻き付け作業を効率良く且つ高い品質で行うことを可能にする粘着テープカッターの提供を課題とする。【解決手段】粘着テープ５を回転可能に保持するテープ保持部１と、粘着テープ５の引き出し部分５１を切断するカッター部２と、テープ保持部１とカッター部２間に配設される中間部３が、ベース４上に所定の間隔で取り付けられて成る粘着テープカッターにおいて、上記カッター部２が、カッター刃取付部２２とカッター刃取付部２２の下方に位置するテープ挿入部２３を備え、上記カッター刃取付部２２のカッター刃２６が、テープ挿入部２３に向って下向きに取り付けられて成り、さらに、上記中間部３が、テープ保持片３２とテープ保持片３２の下方に位置する指通し部３３を備えていることを特徴としている。【選択図】　図１
2004083156.tif 000002
【特許請求の範囲】
【請求項１】
粘着テープ５を回転可能に保持するテープ保持部１と、粘着テープ５の引き出し部分５１を切断するカッター部２と、上記テープ保持部１とカッター部２の間に配設される中間部３を備え、上記テープ保持部１、カッター部２、中間部３の各々が、ベース４上に所定の間隔で取り付けられて成る粘着テープカッターにおいて、
上記カッター部２は、カッター刃取付部２２とカッター刃取付部２２の下方に位置するテープ挿入部２３を備え、上記カッター刃取付部２２に取り付けられるカッター刃２６が、テープ挿入部２３に向って下向きに取り付けられて成り、さらに、上記中間部３は、テープ保持片３２と、テープ保持片３２の下方に位置する指通し部３３を備え、上記カッター部２にて切断された粘着テープ５の引き出し部分５１をテープ保持片３２にて保持すると共に、上記指通し部３３から粘着テープ５の引き出し部分５１を指ですくい上げることができるように構成されていることを特徴とする粘着テープカッター。
【請求項２】
粘着テープ５を回転可能に保持するテープ保持部１と、粘着テープ５の引き出し部分５１を切断するカッター部２と、上記テープ保持部１とカッター部２の間に配設される中間部３を備え、上記テープ保持部１、カッター部２、中間部３の各々が、ベース４上に所定の間隔で取り付けられて成る粘着テープカッターにおいて、
上記カッター部２は、カッター刃取付部２２とカッター刃取付部２２の下方に位置するテープ挿入部２３を備え、上記カッター刃取付部２２に取り付けられるカッター刃２６が、テープ挿入部２３に向って下向きに取り付けられて成り、さらに、上記中間部３は、テープ保持片３２と、テープ保持片３２の下方に位置する指通し部３３を備え、上記カッター部２にて切断された粘着テープ５の引き出し部分５１をテープ保持片３２にて保持すると共に、上記指通し部３３から粘着テープ５の引き出し部分５１を指ですくい上げることができるように構成されていると共に、上記カッター部２が、上記ベース４に対して回動可能に取り付けられ、粘着テープ５の引き出し部分５１のカット面の角度調節を自由に行うことができるように構成されていることを特徴とする粘着テープカッター。
【請求項３】
上記テープ保持部１に保持される粘着テープ５は、粘着面を上にした状態でテープ保持部１に保持されていることを特徴とする請求項１又は請求項２記載の粘着テープカッター。
【発明の詳細な説明】
【０００１】
【発明の属する技術分野】
本発明は、粘着テープカッターに係り、さらに詳しくは、コネクターやハーネスの制作、絶縁作業などの際におけるテープ巻き付け作業を効率良く且つ高い品質で行うことを可能にする粘着テープカッターに関する。
【０００２】
【従来の技術】
周知の通り、粘着面が形成されたテープ状部材を筒状体に巻き回して成る粘着テープは、様々な用途に用いられていると共に、上記粘着テープの使い勝手を向上させるために、粘着テープカッターが用いられており、上記粘着テープカッターは、粘着テープを回転可能に保持するテープ保持部と、テープ保持部に保持された粘着テープから引き出された粘着テープを切断するカッター部とを備えて成るものが広く一般に用いられている。
【０００３】
そして、上記粘着テープカッターのカッター部は、テープ保持部に保持された粘着テープから引き出された粘着テープの引き出し部分をカッター部に貼り付けるようにすることで切断が行われ、粘着テープの切断後には、テープ保持部からカッター部までの間に粘着テープが引き出された状態で維持され、次回の粘着テープの引き出しを容易に行なうことが出来るように構成されている。
【０００４】
さらに、実開平６−１０２５８に示されているように、カッター部とテープ保持部との間に中間保持部を設け、カッター部と中間保持部との間に位置する粘着テープの端部を、粘着面を中にして貼り合わせることによって、貼り付け後の粘着テープの剥離を容易とすることができるように構成された粘着テープカッターも提案されている。
【０００５】
ところで、上記粘着テープのテープ素材には様々な材料が用いられているものであり、ビニル樹脂などの絶縁性を有する材料で形成された粘着テープは、絶縁テープとしてコネクターやハーネスの制作、絶縁作業などに広く用いられ、上記コネクターやハーネスの制作、絶縁作業などの際におけるテープ巻き付け作業の際にも、粘着テープカッターが用いられている。
【０００６】
そして、上記コネクターやハーネスの制作、絶縁作業などの際におけるテープ巻き付け作業の際に上述したような粘着テープカッターを利用した場合、カッター部に粘着テープが一旦貼り付けられることとなるので、貼り付けられた粘着テープを剥す動作が必要となり、テープ巻き付け作業を効率良く行なうことができず、また、カッター部に粘着テープが一旦貼り付けられることによって、粘着テープの粘着性が低下し、粘着テープの剥がれが生じやすくなるといった不具合が生じ、さらに、粘着テープを引き出す際に、粘着面に指が触れた場合にも、粘着テープの粘着性が低下してしまうという不具合が生じており、コネクターやハーネス、絶縁作業の品質や絶縁性が低下してしまうという問題が生じている。
【０００７】
【発明が解決しようとする課題】
上記従来の技術によると、一般的に広く用いられている粘着テープカッターは、粘着テープを切断する際に粘着テープがカッター部に貼り付けられると共に、粘着テープの引き出しの際に粘着面に指を触れる必要があることから、テープ巻き付け作業を効率良く行なうことができないと共に、コネクターやハーネス、絶縁作業の品質や絶縁性の低下を防ぐことが困難であり、さらに、実開平６−１０２５８に示されている粘着テープカッターの場合も、粘着テープがカッター部及び中間保持部に貼り付けられるので、テープ巻き付け作業を効率良く行なうことができず、また、作業効率の低下とコネクターやハーネス、絶縁作業の品質や絶縁性の低下を防ぐことが困難であった。
【０００８】
加えて、実開平６−１０２５８に示されている粘着テープカッターの場合、引き出された粘着テープの端部に、貼り付け後の粘着テープの剥離を容易にするための折り返し部を形成するものであり、コネクターやハーネスの制作、絶縁作業などの際におけるテープ巻き付け作業には適していないものであった。
【０００９】
よって、本発明は、上記のような不具合を解決するものであって、コネクターやハーネスの制作、絶縁作業などの際におけるテープ巻き付け作業を効率良く且つ高い品質で行うことを可能にする粘着テープカッターの提供を目的とするものである。
【００１０】
【課題を解決する為の手段】
上記目的を達成する為に本発明は次の技術的手段を有する。即ち、粘着テープ５を回転可能に保持するテープ保持部１と、粘着テープ５の引き出し部分５１を切断するカッター部２と、上記テープ保持部１とカッター部２の間に配設される中間部３を備え、上記テープ保持部１、カッター部２、中間部３の各々が、ベース４上に所定の間隔で取り付けられて成る粘着テープカッターにおいて、上記カッター部２は、カッター刃取付部２２とカッター刃取付部２２の下方に位置するテープ挿入部２３を備え、上記カッター刃取付部２２に取り付けられるカッター刃２６が、テープ挿入部２３に向って下向きに取り付けられて成り、さらに、上記中間部３は、テープ保持片３２と、テープ保持片３２の下方に位置する指通し部３３を備え、上記カッター部２にて切断された粘着テープ５の引き出し部分５１をテープ保持片３２にて保持すると共に、上記指通し部３３から粘着テープ５の引き出し部分５１を指ですくい上げることができるように構成されていることを特徴とする粘着テープカッターである。
【００１１】
さらに、粘着テープ５を回転可能に保持するテープ保持部１と、粘着テープ５の引き出し部分５１を切断するカッター部２と、上記テープ保持部１とカッター部２の間に配設される中間部３を備え、上記テープ保持部１、カッター部２、中間部３の各々が、ベース４上に所定の間隔で取り付けられて成る粘着テープカッターにおいて、上記カッター部２は、カッター刃取付部２２とカッター刃取付部２２の下方に位置するテープ挿入部２３を備え、上記カッター刃取付部２２に取り付けられるカッター刃２６が、テープ挿入部２３に向って下向きに取り付けられて成り、さらに、上記中間部３は、テープ保持片３２と、テープ保持片３２の下方に位置する指通し部３３を備え、上記カッター部２にて切断された粘着テープ５の引き出し部分５１をテープ保持片３２にて保持すると共に、上記指通し部３３から粘着テープ５の引き出し部分５１を指ですくい上げることができるように構成されていると共に、上記カッター部２が、上記ベース４に対して回動可能に取り付けられ、粘着テープ５の引き出し部分５１のカット面の角度調節を自由に行うことができるように構成されていることを特徴とする粘着テープカッターである。
【００１２】
さらに、上記テープ保持部１に保持される粘着テープ５は、粘着面を上にした状態でテープ保持部１に保持されていることを特徴としている。
【００１３】
本発明は、上記技術的手段より成り、上記カッター部２にて切断された粘着テープ５の引き出し部分５１がテープ保持片３２にて保持されると共に、指通し部３３から粘着テープ５の引き出し部分５１を指ですくい上げることができるように構成されているので、コネクターやハーネスの制作、絶縁作業などの際におけるテープ巻き付け作業を効率良く行なうことができる。
【００１４】
さらに、上記カッター部２が、ベース４に対して回動可能に取り付けられ、粘着テープ５の引き出し部分５１のカット面の角度調節を自由に行うことができるように構成されているので、コネクターやハーネスの制作、絶縁作業などの際におけるテープ巻き付け作業の際の粘着テープ５の端部の処理を良好に行なうことができ、コネクターやハーネスの制作、絶縁作業などの際におけるテープ巻き付け作業の品質を向上させることができる。
【００１５】
さらに、テープ保持部１に保持される粘着テープ５を、粘着面を上にした状態でテープ保持部１に保持することにより、粘着テープ５の粘着面が常に上を向いた状態となるため、粘着テープ５の粘着面が粘着テープカッターのカッター部２や中間部３に貼り付くことがないと同時に、指に触れることがないので、コネクターやハーネスの制作、絶縁作業などの際におけるテープ巻き付け作業を効率良く且つ高い品質で行うことができる。
【００１６】
【発明の実施の形態】
以下、本発明の実施の形態を添付図面に基づき詳細に説明する。
図１に示したように、本発明の粘着テープカッターは、粘着テープ５を回転可能に保持するテープ保持部１と、テープ保持部１に保持された粘着テープ５から引き出された粘着テープ５の引き出し部分５１を切断するカッター部２と、上記テープ保持部１とカッター部２の間に配設される中間部３より成り、上記テープ保持部１、カッター部２、中間部３の各々は、ベース４上に所定の間隔で取り付けられている。
【００１７】
そして、上記テープ保持部１は、粘着テープ５の筒状体５３を嵌め込むことができる円筒状のテープ保持部材１１と、上記テープ保持部材１１を固定支持する支持部材１２より成り、上記テープ保持部材１１には、粘着テープ５を所定の位置に配置させるための位置決めピン１３が設けられ、上記位置決めピン１３は、粘着テープ保持部材１１に形成されたピン挿入穴１４に抜き差し自在に成されている。
【００１８】
さらに、上記位置決めピン１３は、本実施の形態では２本配設されているものであり、この２本の位置決めピン１３の間に粘着テープ５を配置するように成され、上記支持部材１２側の位置決めピン１３と支持部材１２との間にも、予備の粘着テープ５を配置（図示せず）することができる。
【００１９】
また、上記支持部材１２は、ベース４に固定される部分とベース４から立ち上がる部分とを備えたＬ字状部材によって構成され、ベース４から立ち上がった部分に上記粘着テープ保持部材１１が固定保持されている。
【００２０】
そして、上記カッター部２は、カッター刃取付部２２及びテープ挿入部２３が形成されたカッター保持部材２１より成り、上記カッター保持部材２１は、ベース４に固定される部分とベース４から立ち上がる部分とを備えた略Ｌ字状部材によって構成され、ベース４から立ち上がった部分の上端に上記カッター刃取付部２２が形成されていると共に、上記カッター刃取付部２２の下方にテープ挿入部２３が形成されている。
【００２１】
上記カッター刃取付部２２は、図２に示したように、カッター保持部材２１の上端を略コ字状に折り返すようにして形成されており、この略コ字状に形成された部分に押え板２５が配設され、カッター刃２６の挟持を行うように構成されている。
【００２２】
そして、上記押え板２５によるカッター刃２６の挟持は、上記カッター刃取付部２２を介して押え板２５に固定ネジ２７を螺着させることによって行われるものであり、上記固定ネジ２７は、押え板２５の両端（図２においては、図示簡素化のため、一方の固定ネジ２７のみを図示している）に螺着し、双方の固定ネジ２７を締めつけることにより、カッター刃２６が挟持される。
【００２３】
そして、上記カッター刃取付部２２の下方に形成されるテープ挿入部２３は、カッター部２を構成するカッター保持部材２１の一方の側部から粘着テープ５の引き出し部分５１を挿入できるように形成された切り欠き部として形成されており、上記テープ挿入部２３の上方には、上記カッター刃取付部２２に取り付けられたカッター刃２６の刃部が位置しており、テープ挿入部２３に挿入された粘着テープ５の引き出し部分５１を上方に引き上げることによって切断が行われるように構成されている。
【００２４】
そして、上記カッター刃２６には、広く一般に用いられ、入手が容易な市販のカッターナイフの替刃を所定の長さに切断（折る）したものが用いられているものであり、カッター刃２６の切れ味が低下した場合には、上記押え板２５に螺着する固定ネジ２７を緩め、カッター刃２６の挟持を解除して切れ味が低下したカッター刃２６を外し、新たなカッター刃２６を再び挟持することで、容易にカッター刃２６の取り替えを行うことができる。
【００２５】
さらに、上記カッター保持部材２１は、一本の取付ネジ２４によってベース４に固定されるものであり、上記取付ネジ２４を中心軸として、上記カッター保持部材２１を回動（図１中矢印Ｒ）させることが可能となっており、粘着テープ５の引き出し部分５１を切断する際のカット面の角度調節を自由に行うことができ、コネクターやハーネスの制作、絶縁作業などの際におけるテープ巻き付け作業の際の粘着テープ５の端部の処理を良好に行なうことができる。
【００２６】
そして、上記中間部３は、粘着テープ５の引き出し部分５１を保持するテープ保持片３２と上記テープ保持片３２の下方に位置し、テープ保持片３２に保持された粘着テープ５の引き出し部５１を持ち上げるために指を通すことができる指通し部３３が形成された中間保持部材３１より成り、上記中間保持部材３１は、ベース４に固定される部分とベース４から立ち上がる部分とを備えたＬ字状部材によって構成され、ベース４から立ち上がる部分に上記テープ保持片３２及び指通し部３３が形成されている。
【００２７】
さらに、上記中間部３を構成する中間保持部材３１は、粘着テープ５の引き出し方向に対して垂直に配設されていると共に、粘着テープ５の幅よりも大きな幅に形成され、上記テープ保持片３２による粘着テープ５の引き出し部分５１の保持を確実に行うと共に、指通し部３３への指の挿入が容易となる様に構成されている。
【００２８】
また、上記中間保持部３１のテープ保持片３２の高さは、上記カッター部２と中間部３との間の距離と同等又はそれ以上に設定することが好ましく、これにより、粘着テープ５の引き出し部分５１における先端部分５２がベース４に貼り付いてしまう等の不具合を防止することができる。
【００２９】
次に、上記構成に基づき、本発明の粘着テープカッターの使用例を説明する。本使用例では、被絶縁部材７（一本の線状体）に粘着テープ５を巻き付ける場合について説明するものであり、使用例を説明する図面においては、図示を明瞭とするために、符号の表示を最小限としている。
【００３０】
図３は、粘着テープカッターをセットアップした状態を示し、粘着テープカッターのセットアップは、先ず、固定金具４１を用いて粘着テープカッターのベース４を作業台６に固定するものであり、上記固定金具４１は、コ字状部材の下部に蝶ネジ４２を配設したものであって、ベース４と作業台６を挟んだ状態で蝶ネジ４２を締め付けることによって、ベース４の固定を行うものである。（尚、上記固定金具４１の固定位置は、ベース４の側部だけでなく、ベース４の手前部分などでも良く、確実な固定が可能な位置であれば特に限定されない。）
【００３１】
次いで、粘着テープ５のセットは、テープ保持部材１１に設けられた位置決めピン１３を抜き、円筒状のテープ保持部材１１に粘着テープ５の筒状体５３を嵌め入れた後、上記位置決めピン１３をピン挿入穴１４に挿入することによって行われ、上記位置決めピン１３により、粘着テープ５が所定の位置に配置させられる。
【００３２】
さらに、上記粘着テープ５は、粘着面が上になるようにしてセットされるものであり、これにより、粘着テープ５の引き出し部分５１が、粘着面を上にした状態で中間部３のテープ保持片３２に保持される。
【００３３】
次いで、カッター部２のカッター刃取付部２２へのカッター刃２６の取り付けを行うものであり、この作業は、カッター部２を構成するカッター保持部材２１をベース４から外した状態で行なうことが好ましく、２本の固定ネジ２７を緩め、カッター刃取付部２２と押え板２５との間にカッター刃２６を挿入した後、２本の固定ネジ２７を締め付けることによって、カッター刃２６の取り付けが行われる（尚、カッター刃２６の取り替えも同様である）。
【００３４】
そして、カッター刃２６が取り付けられたカッター保持部材２１を再びベース４に取り付けるものであり、このとき、カッター保持部材２１の取付角度を調整することができるので、粘着テープ５の引き出し部分５１を切断する際のカット面の角度や、作業性を考慮してカッター保持部材２１を所定の角度で取り付けて固定するものであり、これで、粘着テープカッターのセットアップ作業が完了する。
【００３５】
次に、被絶縁部材７に粘着テープ５を巻き付ける作業について説明する。
先ず、図４に示したように、中間部３の指通し部３３に指を通すことにより、中間部３のテープ保持片３２に保持された粘着テープ５の引き出し部分５１を下からすくい上げ、次いで、図５に示したように、粘着テープ５の引き出し部分５１の先端部分５２を、被絶縁部材７の絶縁を行う位置に据え、この状態から被絶縁部材７を回転させ、粘着テープ５を巻き取る（図６）ものである。
【００３６】
そして、上記粘着テープ５の巻き取りを所定の回数あるいは所定の範囲に行った後、図７に示したように粘着テープ５の引き出し部分５１をカッター部２のテープ挿入部２３に挿入すると共に、カッター刃２６の下に導き、粘着テープ５の引き出し部分５１をカッター刃２６に当接させて切断を行う。
【００３７】
さらに、上記粘着テープ５の切断後、被絶縁部材７に巻き付けられた粘着テープ５の終端（切断部分）の巻き付け処理を行うことによって、被絶縁部材７へのテープ巻き付け作業が完了するものである。
【００３８】
また、上記カッター部２にて切断された粘着テープ５の引き出し部分５１は、カッター部２のカッター刃２６から離れ、再び、中間部３のテープ保持片３２に保持されることとなり、上述した作業を再び行うことで、被絶縁部材７へのテープ巻き付け作業を効率良く行なうことができる。
【００３９】
そして、上述した被絶縁部材７へのテープ巻き付け作業の際において、粘着テープ５の粘着面が上になるようにセットされているため、粘着面が、中間部３のテープ保持片３２に貼り付いたり、指に触れることはなく、さらに、粘着テープ５の引き出し部分５１を切断する際においても、粘着面がカッター刃２６に当接するだけで、貼り付くことはなく、その結果、従来必要であったテープ巻き付け作業時における粘着テープを剥す作業が不要となり、作業効率の向上を図ることができる。
【００４０】
さらに、粘着テープ５の粘着面が粘着テープカッター自体（カッター部２や中間部３等）や指に触れることがないので、粘着テープの粘着性が低下し、粘着テープの剥がれが生じやすくなるといった不具合を防止でき、コネクターやハーネス、絶縁作業の品質や絶縁性を良好となるものである。
【００４１】
加えて、上記カッター部２のカッター刃２６がカッター刃取付部２２に覆われるようにして下向きに取り付けられ、上記被絶縁部材７へのテープ巻き付け作業時の安全性の向上が図られていることにより、被絶縁部材７へのテープ巻き付け作業を、図５，図６に示したように、カッター部２と中間部３との間で行なうことが可能となるので、粘着テープ５が必要以上に引き出されることが防止され、作業効率の向上と同時に、粘着テープ５の無駄使いが防止される。
【００４２】
そして、本発明の粘着テープカッターは、上述したように、被絶縁部材７へのテープ巻き付け作業を効率良く且つ高い品質で行うことができると共に、被絶縁部材７へのテープ巻き付け作業のコストを低減することができる。
【００４３】
加えて、本発明の粘着テープカッターは、上述したように、非常に簡素な構造であるので、被絶縁部材７へのテープ巻き付け作業を効率良く且つ高い品質で行うことを可能にする粘着テープカッターを低コストで提供することができる。
【００４４】
尚、上記使用例では、図示を簡素にするために、被絶縁部材７を一本の線状体として示したが、これに限らず、コネクターやハーネスの制作、絶縁作業などの際におけるテープ巻き付け作業も同様に行なうことができる。
【００４５】
【発明の効果】
以上詳述した如く、本発明によると次の様な効果を奏する。
即ち、本発明の粘着テープカッターは、コネクターやハーネスの制作、絶縁作業などの際におけるテープ巻き付け作業を行う際に、粘着テープの粘着面が粘着テープカッターのカッター部や中間部に貼り付くことがないと同時に、指に触れることがないように構成されているので、コネクターやハーネスの制作、絶縁作業などの際におけるテープ巻き付け作業を効率良く且つ高い品質で行うことを可能にする粘着テープカッターを提供することができる。
【図面の簡単な説明】
【図１】本発明の粘着テープカッターを示す斜視図である。
【図２】本発明の粘着テープカッターにおけるカッター部の構成を示す分解斜視図である。
【図３】本発明の粘着テープカッターをセットアップした状態を示す斜視図である。
【図４】本発明の粘着テープカッターを用いて行われるテープ巻き付け作業の手順を示す斜視図である。
【図５】本発明の粘着テープカッターを用いて行われるテープ巻き付け作業の手順を示す斜視図である。
【図６】本発明の粘着テープカッターを用いて行われるテープ巻き付け作業の手順を示す斜視図である。
【図７】本発明の粘着テープカッターを用いて行われるテープ巻き付け作業の手順を示す斜視図である。
【符号の説明】
１　テープ保持部
２　カッター部
３　中間部
４　ベース
５　粘着テープ
６　作業台
７　被絶縁部材
１１　テープ保持部材
１２　支持部材
１３　位置決めピン
１４　ピン挿入穴
２１　カッター保持部材
２２　カッター刃取付部
２３　テープ挿入部
２４　取付ネジ
２５　押え板
２６　カッター刃
２７　固定ネジ
３１　中間保持部材
３２　テープ保持片
３３　指通し部
４１　固定金具
４２　蝶ネジ
５１　引き出し部分
５２　先端部分
５３　筒状体
【図１】
2004083156.tif 000003
【図２】
2004083156.tif 000004
【図３】
2004083156.tif 000005
【図４】
2004083156.tif 000006
【図５】
2004083156.tif 000007
【図６】
2004083156.tif 000008
【図７】
2004083156.tif 000009